(57)【要約】【課題】  ＰＯＮ（Passive Optical Network）システムの上り伝送効率を改善する。【解決手段】ＯＬＴ制御装置（４８）は、ＯＮＵ（１８−１〜１８−ｎ）迄の距離に応じた遅延時間とＯＬＴ制御装置に入力するＯＮＵからの光強度の情報を、各ＯＮＵ（１８−１〜１８−ｎ）のリンクアッププロセス時と動作中に収集し、メモリ５０に格納する。光／電気変換器（３６）は、上り光信号を電気信号に変換する。ＡＧＣ回路（３８）は、光／電気変換器（３６）からの電気信号の振幅を所定値に調整する。ＡＧＣ制御装置（４８ａ）は、メモリ（５０）を参照し、ＡＧＣ回路（３８）に入力しようとする電気信号の振幅に応じた初期ゲインをプリセットする。【選択図】  図１
2008199233.tif 000002
【特許請求の範囲】
【請求項１】
時間軸上で多重された複数の光送信装置（１８−１〜１８−ｎ）からの光信号を受信する光受信装置であって、
当該複数の光送信装置からの当該光信号が当該光受信装置に入力する際の光強度及び当該複数の光送信装置までの距離に応じた遅延時間を計測する計測手段（４８）と、
当該光信号を電気信号に変換する光／電気変換器（３６）と、
当該光／電気変換器からの当該電気信号のゲインを調整するＡＧＣ回路（３８）と、
当該光信号に応じた当該電気信号が入力する段階で、当該ＡＧＣ回路（３８）に当該光信号の当該光強度に応じた初期ゲインをセットするＡＧＣ制御装置（４８ａ）
とを具備することを特徴とする光受信装置。
【請求項２】
当該ＡＧＣ制御装置は、当該遅延時間から算出される当該光信号の到達時間に応じて、当該ＡＧＣ回路のＡＧＣ動作を制御することを特徴とする請求項１に記載の光受信装置。
【請求項３】
更に、
当該光強度に関する情報を記憶する記憶手段と、
当該記憶手段に記憶される当該光強度に関する情報を、当該ＡＧＣ回路（３８）の収束したゲインに応じた値に更新する更新手段（４８）
とを具備することを特徴とする請求項１又は２に記載の光受信装置。
【請求項４】
時間軸上で多重された複数の光送信装置（１８−１〜１８−ｎ）からの光信号を受信する光受信方法であって、
当該複数の光送信装置からの当該光信号が当該光受信装置に入力する際の光強度及び当該複数の光送信装置までの距離に応じた遅延時間を計測する計測ステップ（４８）と、
光／電気変換器（３６）により当該光信号を電気信号に変換する光／電気変換ステップと、
当該光／電気変換器からの当該電気信号のゲインをＡＧＣ回路（３８）により調整するゲイン調整ステップ
とを具備し、
当該ゲイン調整ステップが、当該光信号に応じた当該電気信号が当該ＡＧＣ回路（３８）に入力する段階で、当該ＡＧＣ回路（３８）に当該光信号の当該光強度に応じた初期ゲインをセットするゲインプリセットステップを具備する
ことを特徴とする光受信方法。
【請求項５】
当該ゲイン調整ステップは、当該光信号の当該到達時間に応じて、当該ＡＧＣ回路のＡＧＣ動作を制御することを特徴とする請求項４に記載の光受信方法。
【請求項６】
当該計測ステップは、計測された光強度に関する情報を記憶手段（５０）に記憶し、
当該光受信方法が更に、当該記憶手段に記憶される当該光強度に関する情報を、当該ＡＧＣ回路（３８）の収束したゲインに応じた値に更新する更新ステップ（４８）具備する
ことを特徴とする請求項４又は５に記載の光受信方法。
【請求項７】
光ファイバ及び光カップラからなる受動光伝送路を介して複数のユーザ光終端装置（１８−１〜１８−ｎ）と接続する局側光終端装置であって、
当該複数のユーザ光終端装置からの当該光信号が当該局側光終端装置に入力する際の光強度及び当該複数の光終端装置までの距離に応じた遅延時間を計測する計測手段（４８）と、
当該光信号を電気信号に変換する光／電気変換器（３６）と、
当該光／電気変換器からの電気信号のゲインを調整するＡＧＣ回路（３８）と、
当該光信号に応じた当該電気信号が入力する段階で、当該ＡＧＣ回路（３８）に当該光信号の当該光強度に応じた初期ゲインをセットするＡＧＣ制御装置（４８ａ）
とを具備することを特徴とする局側光終端装置。
【請求項８】
当該ＡＧＣ制御装置は、当該光信号の当該到達時間に応じて、当該ＡＧＣ回路のＡＧＣ動作を制御することを特徴とする請求項７に記載の局側光終端装置。
【請求項９】
更に、
当該伝送損失に関する情報を記憶する記憶手段と、
当該記憶手段に記憶される当該光強度に関する情報を、当該ＡＧＣ回路（３８）の収束したゲインに応じた値に更新する更新手段（４８）
とを具備することを特徴とする請求項７又は８に記載の局側光終端装置。
【発明の詳細な説明】
【技術分野】
【０００１】
本発明は、光受信装置及び方法に関し、より具体的には、光強度が異なる光信号列を受信する受信装置及び方法に関する。
【背景技術】
【０００２】
センター局側に設置される光終端装置ＯＬＴ（Optical Line Terminal）と複数のユーザ宅の光終端装置ＯＮＵ（Opitcal Network Unit）とを、光ファイバ及び光カップラからなる受動素子を介して接続する光伝送システムは、一般に、ＰＯＮ（Passive Optical Network）システムと呼ばれる。
【０００３】
ＰＯＮシステムでは、各ＯＮＵからＯＬＴへの上り信号の伝送方式として、時分割多元アクセス（Time Divison Multiple Access）方式が適用される。ＯＬＴは、各ＯＮＵが送出する上り光バースト信号が、光カップラ上で重なることがないように、各ＯＮＵの送信タイミングを制御する。
【０００４】
光カップラから各ＯＮＵまでの光ファイバ長は、一般に異なり、伝送損失も異なる。また、各ＯＮＵからの光出力にも個体差があるため、各ＯＮＵからの上り光バースト信号の光強度は、ＯＬＴへの入力段階でＯＮＵ毎に異なる。さらに、各ＯＮＵが上り光バースト信号を生成する基準となる発振器の周波数又は位相も、一般にＯＮＵ毎に異なるので、各ＯＮＵの発振器は、互いに同期していない。
【０００５】
このように、光強度とクロックが互いに異なる上り光バースト信号列がＯＬＴの光受信部に入力する。そこで、ＯＬＴの光受信部は、入力する上り光バースト信号列の振幅レベルを所定値に揃えるか、又は、２値弁別の閾値を入力信号振幅に応じて調節しなければならない。ＯＬＴの光受信部には、このような利得又は閾値の調整のための時間的余裕が必要である。通常は、入力する上り光バースト信号列の振幅レベルを所定値に揃える自動利得制御（Ａｕｔｏｍａｔｉｃ  Ｇａｉｎ  Ｃｏｎｔｒｏｌ：ＡＧＣ）回路、いわゆるＡＧＣ回路を設ける。
【０００６】
ＯＮＵは、コスト低減のために、レーザダイオードの直接変調を利用する。直接変調の前に、レーザ出力光の振幅を立ち上げ、直接変調の後に、レーザ出力光の振幅を立ち下げる動作が入る。ＯＬＴのＡＧＣは、このような過渡的な振幅変動にも追従できる必要があり、一般的に、入力信号レベルに対して連続的にゲインを制御する構成となっている。これは、ゲインが安定するまでに要する時間を長くする。
【０００７】
また、２値弁別回路は、入力する上りバースト信号毎にクロック同期を確立していなければならないので、入力上りバースト信号にクロックを同期させる時間的余裕も必要になる。
【０００８】
従来のＰＯＮシステムでは、データ伝送の前に、利得調整とクロック同期確立（Clock Data Recovery：ＣＤＲ）のための時間領域が予め用意されている。
【０００９】
図３は、一つの光バースト信号の波形変化を示す。レーザ立ち上げ期間Ｔｏｎにレーザ強度が所定値に立ち上がる。次の同期期間Ｔｓｙｎｃで、ＯＬＴの光受信部は、ＡＧＣとクロックの再生と同期を完了する。同期期間Ｔｓｙｎｃに続くデータ期間Ｔｄａｔａで、データフレーム、例えば、ＭＡＣフレームが伝送される。データ期間Ｔｄａｔａの後のレーザ立ち下がり期間Ｔｏｆｆで、レーザ強度が立ち下がる。レーザ立ち上げ期間Ｔｏｎは通常、３０ｎｓ程度であり、同期期間Ｔｓｙｎｃは５００ｎｓ程度である。
【００１０】
図４は、伝送損失の異なる３つのＯＮＵからの光バースト信号列に対するＯＬＴでのＡＧＣ動作の模式図を示す。図４（ａ）は光バースト信号の波形例を示す。第１の光バースト信号７０Ａの光強度に対して、第２の光バースト信号７０Ｂの光強度が強く、第３の光バースト信号７０Ｃの光強度が弱い。図４（ｂ）は、図４（ａ）に示す光バースト信号７０Ａ，７０Ｂ，７０Ｃに対するＡＧＣ回路のゲイン７２Ａ，７２Ｂ，７２Ｃの変化を示し、図４（ｃ）は、ＡＧＣ後の電気信号７４Ａ，７４Ｂ，７４Ｃの振幅を示す。
【００１１】
ＯＮＵ送信波形の過渡応答に柔軟に対応するため、ＡＧＣ回路は、入力する光強度に応じて連続的に利得を変化させ、利得及びＡＧＣ後の電気信号振幅は緩やかに変化する。このような利得制御により、ＡＧＣ回路のゲイン又は、ＡＧＣ回路出力の振幅が所望値に収束するまでに、時間がかかる。
【００１２】
周知の通り、ＡＧＣ回路は、一般に、目標振幅よりも大きな振幅の電気信号の振幅を下げる機能をも有する。換言すると、ＡＧＣ回路は増幅器の機能と減衰器の機能を併せ持つ。
【００１３】
何れの光強度の光信号に対しても、同期期間Ｔｓｙｎｃ内において、連続的にＡＧＣ動作を機能させゲインを収束させると共に、光バースト信号毎でクロックの再生及び同期確立を達成しなければならない。従って、同期期間Ｔｓｙｎｃは上述したプロセスを実施するに十分な長さに設定されなければならない。
【発明の開示】
【発明が解決しようとする課題】
【００１４】
ＡＧＣ／ＣＤＲに要する時間は、データ信号から見ればオーバーヘッドとなる。この時間は、可能な限り短いのが好ましく、この時間を短くすることにより、上り伝送効率が向上する。
【００１５】
しかし、ＡＧＣ／ＣＤＲの高速化には高度なハードウェア技術と部品を必要とする。高速なＡＧＣ／ＣＤＲ装置を使うことでオーバーヘッドを短縮できても、システムが非常に高価になってしまう。
【００１６】
また、ＡＧＣのゲインが安定するまでに要する時間は、伝送速度には依存しない。従って、伝送速度が高速になるほど、相対的にＡＧＣが占めるオーバーヘッドが大きくなる。高速伝送速度では、ハードウェアに対する要求が厳しくなる。
【００１７】
本発明は、高速ＡＧＣハードウェアに頼ること無しに、ＡＧＣのオーバーヘッドを小さくし、上り伝送効率を向上する光受信装置及び方法並びに局側光終端装置を提示することを目的とする。
【課題を解決するための手段】
【００１８】
本発明に係る光受信装置は、時間軸上で多重された複数の光送信装置からの光信号を受信する光受信装置であって、当該複数の光送信装置からの当該光信号が当該光受信装置に入力する際の光強度及び当該複数の光送信装置までの距離に応じた遅延時間を計測する計測手段と、当該光信号を電気信号に変換する光／電気変換器と、当該光／電気変換器からの当該電気信号のゲインを調整するＡＧＣ回路と、当該光信号に応じた当該電気信号が入力する段階で、当該ＡＧＣ回路に当該光信号の当該光強度に応じた初期ゲインをセットするＡＧＣ制御装置とを具備することを特徴とする。
【００１９】
本発明に係る光受信方法は、時間軸上で多重された複数の光送信装置からの光信号を受信する光受信方法であって、当該複数の光送信装置からの当該光信号が当該光受信装置に入力する際の光強度及び当該複数の光送信装置までの距離に応じた遅延時間を計測する計測ステップと、光／電気変換器により当該光信号を電気信号に変換する光／電気変換ステップと、当該光／電気変換器からの当該電気信号のゲインをＡＧＣ回路により調整するゲイン調整ステップとを具備し、当該ゲイン調整ステップが、当該光信号に応じた当該電気信号が当該ＡＧＣ回路に入力する段階で、当該ＡＧＣ回路に当該光信号の当該光強度に応じた初期ゲインをセットするゲインプリセットステップを具備することを特徴とする。
【００２０】
本発明に係る局側光終端装置は、光ファイバ及び光カップラからなる受動光伝送路を介して複数のユーザ光終端装置と接続する局側光終端装置であって、当該複数のユーザ光終端装置からの当該光信号が当該局側光終端装置に入力する際の光強度及び当該複数の光終端装置までの距離に応じた遅延時間を計測する計測手段と、当該光信号を電気信号に変換する光／電気変換器と、当該光／電気変換器からの当該電気信号のゲインを調整するＡＧＣ回路と、当該光信号に応じた当該電気信号が入力する段階で、当該ＡＧＣ回路に当該光信号の当該光強度に応じた初期ゲインをセットするＡＧＣ制御装置とを具備することを特徴とする。
【発明の効果】
【００２１】
本発明では、ＡＧＣ回路の初期ゲインをプリセットするので、ＡＧＣの収束までの時間を短縮でき、ＡＧＣ／ＣＤＲのために光信号に付加されている同期期間を短縮できる。これにより、光信号を時間軸上でより密に配置できるようになり、伝送効率が向上する。
【発明を実施するための最良の形態】
【００２２】
以下、図面を参照して、本発明の実施例を詳細に説明する。
【００２３】
図１は、本発明の一実施例の概略構成ブロック図を示す。センター局に設置されるＯＬＴ１０は、光ファイバ１２を介して光カップラ１４に接続し、光カップラ１４は、個々の光ファイバ１６−１〜１６−ｎを介して各ユーザのＯＮＵ１８−１〜１８−ｎに接続する。ＯＮＵ１８−１〜１８−ｎは、各ユーザ宅に設置される。各ＯＮＵ１８−１〜１８−ｎには、１又は複数のコンピュータ２０−１〜２０−ｎが接続可能である。
【００２４】
ＯＬＴ１０とＯＮＵ１８−１〜１８−ｎ間の光信号の伝送態様を簡単に説明する。光カップラ１４は、ＯＬＴ１０から出力され、光ファイバ１２を介して入力する下り光信号パワーをｎ個に分割し、パワー分割された各光信号を光ファイバ１６−１〜１６−ｎに出力する。パワー分割された各下り光信号は、光ファイバ１６−１〜１６−ｎを伝搬してＯＮＵ１８−１〜１８−ｎに入力する。各ＯＮＵ１８−１〜１８−ｎは、下り光信号を電気信号に変換し、自己宛のコマンド及び応答を内部で処理し、コンピュータ２０−１〜２０−ｎ宛のデータをコンピュータ２０−１〜２０−ｎに出力する。
【００２５】
各ＯＮＵ１８−１〜１８−ｎは、コンピュータ２０−１〜２０−ｎからの上りデータにＯＬＴ１０宛のコマンド及び応答を多重し、その多重信号を光信号に変換して、光ファイバ１６−１〜１６−ｎに出力する。その光信号、即ち上り光信号は、光ファイバ１６−１〜１６−ｎを伝搬して光カップラ１４に入射する。光カップラ１４は、各光ファイバ１６−１〜１６−ｎからの上り光信号を光ファイバ１２に出力する。光ファイバ１２を伝搬した各ユーザからの上り光信号は、ＯＬＴ１０に入射する。
【００２６】
ＯＬＴ１０の構成と動作を説明する。ＰＯＮインターフェース３０は、電気／光（Ｅ／Ｏ）変換器３２，波長選択性の光カップラ３４及び光／電気（Ｏ／Ｅ）変換器３６からなる。Ｅ／Ｏ変換器３２は、後述する下りトラフィックの電気信号を光信号、即ち下り光信号に変換する。ＷＤＭ光カップラ３４は、Ｅ／Ｏ変換器３２からの下り光信号を光ファイバ１２に供給し、光ファイバ１２からの上り光信号をＯ／Ｅ変換器３６に供給する。ＰＯＮシステムでは、上り光信号には１．３μｍ帯が使用され、下り光信号に１．４９μｍ帯が使用されるので、ＷＤＭ光カップラ３４により、上述のように上り光信号と下り光信号の流れを制御できる。Ｏ／Ｅ変換器３６は、光カップラ３４からの上り光信号を電気信号に変換する。
【００２７】
ＡＧＣ（自動利得制御）回路３８は、ＯＬＴ制御装置４８による制御の下で、Ｏ／Ｅ変換器３６の出力電気信号の振幅レベルを一定値に調整する。一旦、目標レベル以上の振幅レベルを上げた後、リミッタで振幅レベルを目標レベルに合わせることもある。ＡＧＣ回路３８の詳細な動作は、後述する。ＡＧＣ回路３８の出力電気信号は、２値弁別装置４０とクロック再生装置４２に供給される。
【００２８】
クロック再生装置４２は、ＡＧＣ回路３８の出力からクロックを再生し、又は、ＡＧＣ回路３８の出力に同期するクロックを生成し、再生クロック又は生成クロックを２値弁別装置４０に印加する。２値弁別装置４０は、クロック再生装置４２からのクロックと、ＯＬＴ制御装置４８からの弁別閾値の制御に従い、ＡＧＣ回路３８の出力信号を２値弁別する。
【００２９】
２値弁別装置４０の出力信号は、多重分離装置（ＭＵＸ／ＤＥＭＵＸ）４４に供給される。多重分離装置４４は、２値弁別装置４０の出力信号の内、ＯＬＴ１０に宛てた信号（ＯＮＵ１８−１〜１８−ｎからＯＬＴ１０への要求信号又は応答信号）をＯＬＴ制御装置４８に供給し、それ以外の信号を、ＯＬＴ１０が上位ネットッワークのネットッワーク制御装置等に送信すべき信号と多重して、所定フレーム形式でネットワークインターフェース４６に供給する。
【００３０】
ＯＬＴ制御装置４８は、ＯＬＴ１０及びＰＯＮシステム全体を制御し、ＡＧＣ制御装置４８ａとＤＢＡ制御装置４８ｂを具備する。ＡＧＣ制御装置４８ａは、ＡＧＣ回路３８にＡＧＣ動作開始時の初期ゲインをプリセットでき、また、ＡＧＣ動作の開始タイミングを指示できる。ＡＧＣ制御装置４８ａはまた、ＡＧＣ回路３８におけるゲインをモニタしている。ＤＢＡ制御装置４８ｂは、各ＯＮＵ１８−１〜１８−ｎの上り信号帯域を動的に管理決定する。
【００３１】
メモリ５０には、配下のＯＮＵ１８−１〜１８−ｎの情報、特に、ＯＬＴ１０に入力する光強度と距離に応じた遅延時間の情報が格納されている。勿論、ＯＮＵ１８−１〜１８−ｎを管理するのに必要なその他の情報、例えば、設定付与した論理リンクの識別情報、及びサービスレベル等の情報も、メモリ５０に格納されている。ＯＬＴ制御装置４８は、これらのＯＮＵ情報を、各ＯＮＵのリンクアッププロセス時のみならず、動作中にも収集する。ＯＬＴ１０に入力する上り光信号の光強度は、ＯＮＵ１８−１〜１８−ｎに搭載されたレーザの光出力変動により変動し、遅延時間は、環境変化に応じた光路長変化により変化する。ＯＬＴ制御装置４８は、メモリ５０のＯＮＵ情報を参照して、ＡＧＣ回路３８の初期ゲインとＡＧＣ動作を制御する。
【００３２】
ネットワークインターフェース４６は、多重分離装置４４からの上り信号を上位ネットワークに送出する。また、ネットワークインターフェース４６は、上位ネットワークからの多重分離装置５２に出力する。多重分離装置５２は、ネットワークインターフェース４０からの信号を、下位の何れかのユーザに転送すべきデータと、ＯＬＴ１０に対するコマンド及び応答とに分離し、前者をＥ／Ｏ変換器３２に供給し、後者をＯＬＴ制御装置４８に供給する。ＯＬＴ制御装置４８は、多重分離装置５２からのコマンド及び応答をその内容に応じて処理する。ＯＬＴ制御装置４８は、また、各ＯＮＵ１８−１〜１８−ｎに宛てた制御信号を多重分離装置５２に出力する。そのような制御信号には、ＤＢＡ制御装置４８ｂにより決定された送信帯域を指示するＧａｔｅメッセージがある。多重分離装置５２は、各ユーザに宛てたデータ信号にＯＬＴ制御装置４８からの制御信号を多重して、Ｅ／Ｏ変換器３２に供給する。
【００３３】
Ｅ／Ｏ変換器３２は、多重分離装置５２からの電気信号を光信号に変換し、下り光信号としてＷＤＭ光カップラ３４に印加する。この下り光信号は、光ファイバ１２、光カップラ１４，及び光ファイバ１６−１〜１６−ｎを介して全ＯＮＵ１８−１〜１８−ｎに入射する。各ＯＮＵ１８−１〜１８−ｎは、先に説明したように、下り信号の内の自己宛のフレームのみを取り込み、他のフレームを無視する。これにより、特定のユーザに向けたデータと制御信号が、そのユーザのＯＮＵに到達する。各ＯＮＵ１８−１〜１８−ｎは、受信した制御信号のＧａｔｅメッセージで割り当てられた送信帯域内で上りデータを送信する。
【００３４】
本実施例の特徴的な動作であるＡＧＣ回路３８の制御動作を説明する。図２は、伝送損失の異なる３つのＯＮＵからの光バースト信号列に対する本実施例のタイミングチャートを示す。図２（ａ）は、ＯＬＴ１０の光／電気変換器３６に入射する光バースト信号列の波形例を示す。図４（ａ）に示す従来例と同様に、第１の光バースト信号６０Ａの光強度に対して、第２の光バースト信号６０Ｂの光強度が強く、第３の光バースト信号６０Ｃの光強度が弱い。図２（ｂ）は、図２（ａ）に示す光バースト信号６０Ａ，６０Ｂ，６０Ｃに対するＡＧＣ回路３８のゲイン６２Ａ，６２Ｂ，６２Ｃの変化を示し、図２（ｃ）は、ＡＧＣ後の電気信号６４Ａ，６４Ｂ，６４Ｃの振幅を示す。
【００３５】
ＯＬＴ１０のＯＬＴ制御装置４８は、各ＯＮＵ１８−１〜１８−ｎに論理リンクを設定付与する際に、各ＯＮＵ１８−１〜１８−ｎ迄の距離に応じた遅延時間、より具体的にはＯＬＴ１０と各ＯＮＵ１８−１〜１８−ｎまでの往復遅延時間（Ｒｏｕｎｄ  Ｔｒｉｐ  Ｔｉｍｅ：ＲＴＴ）とＯＬＴ１０に入力する光強度を計測し、ＯＮＵ情報としてメモリ５０に格納する。ＲＴＴは、ＴＤＭＡによる送信タイミングを決定する基準パラメータである。光強度は、ＡＧＣ回路３８から取得できる。即ち、ＯＬＴ制御装置４８のＡＧＣ制御装置４８ａは、ＡＧＣ回路３８におけるゲインをモニタしており、このモニタ結果により、各ＯＮＵ１８−１〜１８−ｎからの上り光信号の光強度を継続的又は間欠的に認識する。ＯＬＴ制御装置４８が、特許請求の範囲に規定される計測手段、即ち、複数の光送信装置からの光信号の光強度及び遅延時間を計測する計測手段に相当する。
【００３６】
本実施例では、ＯＬＴ制御装置４８は、各ＯＮＵ１８−１〜１−ｎからの上り信号がＡＧＣ回路３８に入射する直前に、ＡＧＣ回路３８に当該上り信号の振幅に応じた初期ゲインをプリセットする。そして、ＯＬＴ制御装置４８は、ＡＧＣ回路３８に当該上り信号のレーザ立ち上がり期間Ｔｏｎの開始とほぼ同時に、ＡＧＣ回路３８にＡＧＣ動作の開始を指示する。図２（ｂ）に示すように、ＡＧＣ動作によりＡＧＣ回路３８のゲイン６２Ａ，６２Ｂ，６２Ｃの変化は、従来例のそれ（図４（ｂ）のゲイン７２Ａ，７２Ｂ，７２Ｃ）よりも極めて少なくなる。これにより、本実施例では、図２（ｃ）に示す波形６４Ａ，６４Ｂ，６４Ｃのように、ＡＧＣ回路３８の出力段では、信号振幅が急速に立ち上がり、目標レベルに収束する。
【００３７】
このように、本実施例では、ＡＧＣ回路３８のゲインが短時間で収束するので、同期期間Ｔｓｙｎｃの初期で、クロック再生装置４２のクロック同期が実現できる。即ち、同期期間Ｔｓｙｎｃを従来よりも短縮でき、それだけ、各光バースト信号を時間軸上で密に配置できる。全体として上り伝送効率を向上する。
【００３８】
ＡＧＣ制御装置４８ａはまた、ＡＧＣ回路３８の収束したゲイン値又は、このゲイン値に応じた損失値を、次の受信に備えてメモリ５０に格納しておく。そして、ＡＧＣ制御装置４８ａは、同じＯＮＵからの次の上り光バースト信号に対して、メモリ５０からゲイン値又は損失値を読出し、初期ゲインとしてＡＧＣ回路３８にプリセットする。
【００３９】
同じＯＮＵからの一つ前の上り光バースト信号における収束ゲイン値を、その次にくる光バースト信号の初期ゲイン値又は収束ゲイン値としてそのまま用いても良い。これにより、連続ＡＧＣの収束プロセスを完全に省略でき、クロック再生装置４２のクロック同期に係る時間をそのまま同期期間Ｔｓｙｎｃとすることができる。
【００４０】
ＡＧＣ回路３８のゲイン調節ループには、２値弁別装置４０において計測されるビットエラーレート（ＢＥＲ）を含めても良い。即ち、２値弁別装置４０におけるＢＥＲが小さくなるように、ＡＧＣ回路３８のゲインを帰還制御する。
【００４１】
ＡＧＣ回路３８は、従来のＡＧＣアンプと同様に、目標振幅よりも大きな振幅の電気信号の振幅を下げる機能をも有する。換言すると、ＡＧＣ回路３８は増幅器の機能（プラスのゲイン）と減衰器の機能（マイナスのゲイン）を併せ持つ。
【００４２】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４３】
【図１】本発明の一実施例の概略構成ブロック図である。
【図２】本実施例のタイミングチャートであり、（ａ）はＯＬＴ１０に入射する光バースト信号列の波形例を示し、（ｂ）はＡＧＣ回路のゲイン変化を示し、（ｃ）はＡＧＣ後の電気信号振幅を示す。
【図３】上り光バースト信号の波形例である。
【図４】従来例のタイミングチャートであり、（ａ）はＯＬＴに入射する光バースト信号列の波形例を示し、（ｂ）はＡＧＣ回路のゲイン変化を示し、（ｃ）はＡＧＣ後の電気信号振幅を示す。
【符号の説明】
【００４４】
１０：ＯＬＴ
１２：光ファイバ
１４：光カップラ
１６−１〜１６−ｎ：光ファイバ
１８−１〜１８−ｎ：ＯＮＵ
２０−１〜２０−ｎ：コンピュータ
３０：ＰＯＮインターフェース
３２：電気／光（Ｅ／Ｏ）変換器
３４：波長選択性光カップラ
３６：光／電気（Ｏ／Ｅ）変換器
３８：ＡＧＣ（自動利得制御）回路
４０：２値弁別装置
４２：クロック再生装置
４４：多重分離装置（ＭＵＸ／ＤＥＭＵＸ）
４４：多重分離装置
４６：ネットワークインターフェース
４８：ＯＬＴ制御装置
４８ａ：ＡＧＣ制御装置
４８ｂ：ＤＢＡ制御装置
５０：メモリ（ＯＮＵ情報）
５２：多重分離装置
６０Ａ，６０Ｂ，６０Ｃ：光バースト信号
６２Ａ，６２Ｂ，６２Ｃ：ゲイン
６４Ａ，６４Ｂ，６４Ｃ：ＡＧＣ後の電気信号
７０Ａ，７０Ｂ，７０Ｃ：光バースト信号
７２Ａ，７２Ｂ，７２Ｃ：ゲイン
７４Ａ，７４Ｂ，７４Ｃ：ＡＧＣ後の電気信号
【図１】
2008199233.tif 000003
【図２】
2008199233.tif 000004
【図３】
2008199233.tif 000005
【図４】
2008199233.tif 000006